(57)【要約】【課題】遮蔽部の加工作業を容易化し、加工作業時間を短縮し、装置製造の低コスト化を図ることができ、さらには、環境汚染の問題をなくし、回収再利用を容易にし、環境にやさしい放射線設備を得る。【解決手段】放射線を放出する放射性物質が収納される放射性物質収納部１と、放射性物質収納部１を覆って設けられ放射性物質から放出する放射線を遮蔽する遮蔽部５とを有する放射線設備であって、遮蔽部５は、樹脂に所定量の放射線遮蔽金属を放射線を遮蔽する程度に混合させた高比重樹脂材で作製されている。【選択図】　　　　図１
2004077239.tif 000002
【特許請求の範囲】
【請求項１】
放射線を放出する放射性物質が収納される放射性物質収納部と、前記放射性物質収納部を覆って設けられ前記放射性物質から放出する放射線を遮蔽する遮蔽部とを有する放射線設備であって、
前記遮蔽部は、樹脂に所定量の放射線遮蔽金属を放射線を遮蔽する程度に混合させた高比重樹脂材で作製されている
ことを特徴とする放射線設備。
【発明の詳細な説明】
【０００１】
【発明の属する技術分野】
この発明は、原子力発電所及び放射線取扱施設等に設置され放射性物質を取り扱う放射線設備に関するものである。
【０００２】
【従来の技術】
図３は例えば文献「放射線監視設備カタログ」（三菱電機株式会社、２００１）に示された従来の放射線設備としてのガスモニタ検出装置の断面図である。図４はガスモニタ検出装置の上面図である。ガスモニタ検出装置２００は、内部に放射線を放出する放射性物質が収納される放射性物質収納部１０１が設けられている。そして、放射性物質収納部１０１に隣接して検出器１０２が設けられている。そして、この検出器１０２に連通するガス入口パイプ１０３及びガス出口パイプ１０４がガスモニタ検出装置２００の外部まで延設されている。そして、これらを囲うように鉛で作製された遮蔽部１０５が設けられている。
【０００３】
ガスモニタ検出装置２００は、発電所及び放射線取扱施設などに設置され、当該施設のプロセス流体のうち、ガス中の微少な放射能レベルを検出する。検出器１０２は、ガス入口パイプ１０３から取り込まれ放射性物質収納部１０１に停留するガス中の微少な放射能レベルを検出し、放射能レベルに対応したパルス計数率を図示しない演算処理部に伝送する。そして、検出器１０２、ガス入口パイプ１０３及びガス出口パイプ１０４を、遮蔽部１０５で囲むことによりバックグラウンド放射線を低減させてパルス計数率の高感度化を図っている。遮蔽部１０５は、ガス中の微少な放射能をガスモニタ検出装置２００の外部に漏洩させない目的としても設置されている。そして、遮蔽部１０５は、バックグラウンド放射線を効果的に遮蔽するために鉛遮蔽材を円筒形に鋳造して作製されている。
【０００４】
放射線設備の一つとしてのこのような構成のガスモニタ検出装置２００においては、計測精度を向上する目的で、外部から流入する外部放射線（バックグラウンド放射線）を低減するために鉛で作製された遮蔽部１０５を設ける。一方、測定対象物に含まれる放射線を外部に漏洩させないために遮蔽部１０５を設ける。
【０００５】
【発明が解決しようとする課題】
このような構成のガスモニタ検出装置２００には、上述の目的で鉛で作製された遮蔽部１０５が設けられている。この遮蔽部１０５は囲い込む装置の形によって、所定の形状に成型される必要がある。鉛の遮蔽部１０５は、一般に鋳造によって作製される。そして、鋳物加工には高コストがかかるので問題であった。
【０００６】
また、鉛素材は加工時に作業環境が悪化すると、鉛害を引き起こす危険性があるので、これを防ぐための対策が必要であった。さらに、加工時及び機器・装置の解体時に環境汚染につながるのを防ぐために適切な環境管理を実施する必要があった。
【０００７】
さらにまた、鉛で作製された遮蔽部１０５は、機器・装置の解体後に回収、再生利用が困難であるので問題であった。
【０００８】
この発明は上述のような課題を解決するためになされたものであり、遮蔽部の材料として高比重樹脂材を用いることにより、遮蔽部の加工作業を容易化し、加工作業時間を短縮し、装置製造の低コスト化を図ることができ、さらには、環境汚染を防ぐための対策を不要とし、回収再利用を容易にし、環境にやさしい放射線設備を得ることを目的とする。
【０００９】
【課題を解決するための手段】
この発明に係る放射線設備は、放射線を放出する放射性物質が収納される放射性物質収納部と、放射性物質収納部を覆って設けられ放射性物質から放出する放射線を遮蔽する遮蔽部とを有する放射線設備であって、前記遮蔽部は、樹脂に所定量の放射線遮蔽金属を放射線を遮蔽する程度に混合させた高比重樹脂材で作製されている。
【００１０】
【発明の実施の形態】
実施の形態１．
図１はこの発明の放射線設備としてのガスモニタ検出装置の断面図である。図２はガスモニタ検出装置の上面図である。ガスモニタ検出装置１００は、内部に放射線を放出する放射性物質が収納される放射性物質収納部１が設けられている。そして、放射性物質収納部１に隣接して検出器２が設けられている。そして、この検出器２に連通するガス入口パイプ３及びガス出口パイプ４がガスモニタ検出装置１００の外部まで延設されている。そして、放射性物質収納部１、検出器２、ガス入口パイプ３及びガス出口パイプ４を囲うように高比重樹脂材で作製された遮蔽部５が設けられている。
【００１１】
検出器２は、ガス入口パイプ３から取り込まれ放射性物質収納部１に停留するガス中の微少な放射能レベルを検出し、放射能レベルに対応したパルス計数率を図示しない演算処理部に伝送する。そして、検出器２、ガス入口パイプ３及びガス出口パイプ４を遮蔽部５で囲むことにより外部放射線を低減させてパルス計数率の高感度化を図っている。遮蔽部５は、ガス中の微少な放射能をガスモニタ検出装置１００の外部に漏洩させない目的としても設置されている。すなわち、遮蔽部５は、外部から飛来する外部放射線を反射して放射性物質収納部１内への流入を防ぎ遮蔽するとともに、ガス中の微少な放射能を放射性物質収納部１内へ反射させて外部に漏洩させない。すなわち、本実施の形態の遮蔽部５は、放射線を内外へ反射することによりこれを遮蔽する。
【００１２】
遮蔽部５の材料として用いられる高比重樹脂材は、高比重の樹脂であり、この材質は電離放射線に対する減弱係数が鉛材と同等であるので、高比重樹脂材の電離放射線に対する遮蔽効果は鉛材と同じである。すなわち、遮蔽部５は、鉛と同じ遮蔽効果を発生する程度の所定の比重の樹脂で作製されている。一方、樹脂材は加工性に優れているため、遮蔽部５の加工費削減につながり、ガスモニタ検出装置１００の製作コストの削減に効果を奏する。
【００１３】
具体的な高比重樹脂材の例としては、ポリアミドを使用する。詳細には、カネボウ合繊株式会社の、名称：カネボウナイロン樹脂、銘柄：ＭＣ１０２Ｋ１３、化学名：ポリカプロラクタムアミドであり、成分及び含有量は、ポリカプロラクタムアミド２０％以下、タングステン８０％以上である。このポリアミドは、一般的な鉛材と同じ程度の比重１３．７ｇ／ｃｍ３を有している。
【００１４】
高比重樹脂材は、鉛材と同程度の比重とすることで鉛材と同程度の遮蔽能力を有するため、放射線遮蔽材として同じ厚さとすることが可能となる。従来の鉛材は設備の大きさを最小限にするためにも適用されていたので、高比重樹脂材を適用しても同様の効果を奏する。さらに、高比重樹脂材を適用することにより放射線設備の設計変更が不用となる。
【００１５】
このような高比重樹脂材は、このポリアミドは耐熱性及び耐薬品性に優れており、装置の運搬及びメンテナンスにおいて安全な装置を提供することができる。さらに、従来使用されてきた鉛素材と違い鉛中毒の危険性のない材料を用いるので、加工時や解体時に、鉛素材を用いる場合に必要な鉛中毒対策や環境汚染対策を不要にすることができる。さらに装置解体時、改造時及び廃却時に問題となる回収再利用も容易であり、環境にやさしいガスモニタ検出装置１００とすることができる。
【００１６】
さらに、高比重樹脂材は形状加工のための切削作業にＮＣ工作機械等を用いればよく、作業時間が短縮できるので作業効率の向上につながり、加工作業コストの削減にもつながる。そして、ガスモニタ検出装置１００の製作コストの削減に効果を奏する。また、加工作業を行う工場において鉛害等の危険性もないので、工場及びその周辺の環境汚染の問題もない。高比重樹脂材にはポリアミド等を使用しているため耐熱性及び耐薬品性に優れており、装置の運搬、設置及びメンテナンスの場において安全な装置を提供することができる。装置解体時、改造時及び廃却時に問題となる遮蔽部の回収再利用も高比重樹脂材の場合は可能であり、環境にやさしいガスモニタ検出装置１００を供することができる。
【００１７】
本実施の形態においては、高比重樹脂材で作製した遮蔽部５をガスモニタ検出装置１００に適応することを述べたが、ガスモニタ検出装置に限らず、広く放射線を遮蔽部を必要とする機器・設備において、高比重樹脂材で作製した遮蔽部を適応することができる。また、ガスモニタ検出装置以外の機器・設備において、外部から流入する外部放射線を低減する目的や内部の放射線を外部に漏洩させない目的で高比重樹脂材で作製した遮蔽部を用いてもよい。
【００１８】
【発明の効果】
この発明に係る放射線設備は、放射線を放出する放射性物質が収納される放射性物質収納部と、放射性物質収納部を覆って設けられ放射性物質から放出する放射線を遮蔽する遮蔽部とを有する放射線設備であって、前記遮蔽部は、樹脂に所定量の放射線遮蔽金属を放射線を遮蔽する程度に混合させた高比重樹脂材で作製されている。そのため、遮蔽部の材料として高比重樹脂材を用いたことにより、遮蔽部の加工作業が容易化され、加工作業時間も短縮され、装置製造の低コスト化を図ることができる。また、使用に際して環境汚染の問題はなく回収再利用が可能であるので、環境にやさしい装置とすることができる。
【図面の簡単な説明】
【図１】この発明の放射線設備としてのガスモニタ検出装置の断面図である。
【図２】ガスモニタ検出装置の上面図である。
【図３】従来の放射線設備としてのガスモニタ検出装置の断面図である。
【図４】ガスモニタ検出装置の上面図である。
【符号の説明】
１　放射性物質収納部、５　遮蔽部。
【図１】
2004077239.tif 000003
【図２】
2004077239.tif 000004
【図３】
2004077239.tif 000005
【図４】
2004077239.tif 000006